(57)【要約】      （修正有）【課題】卓球の練習、サーブ、玉出、卓球マシンなど相手に球を拾うことのないように、ネットの改良により自分だけで練習が出来るようにする。（サーブ＝サービス）【解決手段】側面ネット２、３センタネット１、の改良とネット取付台４サポー１、ネットポール５とネット脱着が簡単にするクリップ１ａ２ａ、フック２Ｅ、１Ｄ、により５分以内と取付けが可能になった。軽量で場所もとらない持運びもよい。他の人に球を拾わすことのない自分だけで、練習が出来る改良ネット。【選択図】図２
0003122787.tif 000002
【実用新案登録請求の範囲】
【請求項１】
卓球サービス練習には、サイドネット左右とセンタネットを使用すれば球はネットの高さと傾斜によってネットのセンタの中央に集まりホールから受皿に入り１名で練習が出来る。
【請求項２】
玉出し練習で、相手がレシーブ打法の練習、カット、ドライブツッツキのときネット左右とセンタがあれば、ネットの高さと傾斜によって、ネットセンタの中央、ホールに集まり受皿に入る左、右からの玉出し時、出す側のネット上側のクリップ外しそのネットを下側にさげる。
【請求項３】
玉出し練習でセンタで出す時は、卓球台、ネットボール固定サーポトのアームの長いものを使用すれば、卓球台とボールの間が広くなり、センタより球が出しやすくなる。
【請求項４】
卓球マシン練習、カット、ドライブ、ショウト、ロングなど多彩な打法が出来る。これはネット左右とセンダのネットが高く散乱しにくく又ネット傾斜により、スームズに流れ１箇所に集り受皿に入る。
【請求項５】
卓球台にネットポール固定サポートは、脱着が、簡単で軽量で場所をとらない持運びがよい付属品でクリップ、フックを使用しているため脱着が簡単である。
【考案の詳細な説明】
【技術分野】
【０００１】本考案はネットサイド左右とセンタネットは、固定サポートポールにネットが取付けられる、クリップなどに関するものである。
〔背景技術〕【０００２】サービス、レシーブの打法の練習には、必ず球拾いが必要で、あるその時には魚を捕る網で拾っていた。【０００３】卓球マシンではサイド側のネット左右がないため、左右に球が散乱していた、上記のようにして球を拾う。
〔考案の開示〕
考案が解決しようとす課題、【０００４】卓球練習で、サービス、玉出し、卓球マシン練習時には必ず１名が球を拾う必要があった。球の散乱で他のプレーヤに迷惑をかけていたが、ネット左右とセンタの改良によりこの欠点を解決しようとするものである。
〔課題を解決するための手段〕【０００５】本考案はネットの側面左２右３センタ１のネットを高くして球の逃を止める。側面ネット左２右３センタ１のネットの球の落下部に傾斜をつけて、１箇所に集め、ホール３５から受皿に入れるように改良し、ネット取付台４は卓球台５０にネジ６で、固定することで脱着を簡単軽量で場所をとらないことで問題解決している。
〔考案の効果〕【０００６】上述の様に本考案のネットの改良により、他の人をたよっていたがその必要性がなく、自分だけで練習が出来、他人にも迷惑をかけないで気楽に出来る効果がある。
〔考案の実施するための最良の形態〕【０００７】ネットに関する付属品は下記によって構成されている。
側面ネット左２にはクリップ、２ａ、２Ｂ２Ｃ、フック２Ｅ２Ｄ２Ｆ
〃    右３にはクリップ、３ａ３Ｂ３Ｃ、フック３Ｅ３Ｄ３Ｆ、
センタネット１、左側にはクリップ１ａ１Ｂ１Ｃフック１Ｄ
〃          右側には  〃  １１ａ１１Ｂ１１Ｃフック１１Ｄ
〔実施例〕【０００８】添付図面に従って実施例を説明する最初の取付手順は側面の左ネット３はフック２Ｅ２Ｄはネットサポート１７に、２Ｆは、ネット取付台６固定ネジに取付ける。クリップは取付台のパイプ５に上から２ａ２Ｂ２Ｃとパイプにクリップする。
側面右側ネット３の取付要領は上記左ネットと同じである。【０００９】センタネット１ネット取付は、左側のポール５にクリップ１ａ１Ｂ１Ｃと上からパイプ５にクリップする、フック１Ｄはポール取付台のネジ６にかける。右側ネットの取付けはポール１５にクリップ１１ａ１１Ｂ１１Ｃを上からパイプにクリップする。フック１１Ｄはポール取付台１６のネジにかける。最後にネット左２センタ１、右３のネット角のネットの折合を１０Ｂから行う。
【符号の説明】
【００１０】１、センタネット  ４、１４、ネット取付台  ７、１７ネットサポート１Ｄネットフック
２、左ネット      ５、１５ポール          １：ａネットクリップ  ２Ｅ    〃
３、右ネット      ６、１６卓球台固定ネジ  ２ａ      〃          ２Ｆ    〃
【図１】
0003122787.tif 000003
【図２】
0003122787.tif 000004
【図３】
0003122787.tif 000005
【図４】
0003122787.tif 000006
【手続補正書】
【提出日】平成17年8月18日(2005.8.18)
【手続補正１】
【補正対象書類名】実用新案登録請求の範囲
【補正対象項目名】全文
【補正方法】変更
【補正の内容】
【実用新案登録請求の範囲】
【請求項１】
卓球台５０の中央ネット１７からサイドネット２、３、センタネット１、のホール３５まで、ネットに傾斜をつけて球がスムーズに流れ、ホール３５から受箱にはいる。図１、２、
【請求項２】
卓球台５０の中央ネット１７から、サイドネット２、３とセンタ１までネットを高くして球の散乱を防止する  図１、
【請求項３】
左側から玉出しのとき、サイドネット２のポール５の上部のクリップ２ａを外し、そのネットを下側にさげる、
センタ１から、玉出しのときは、ネット取付け台４のアームの長いものを使用する。図１
【請求項４】
サイドネット２、３センタネット１の３枚の各ネットには、クリップとフックが取付けて、脱着を簡単にしている、
サイドネット２は、クリップ２ａ、２Ｂ、２Ｃ、フック。２Ｅ、２Ｄ、２Ｆ、図１、２、
【請求項５】
卓球台５０に、ネット取付けは、卓球台５０のコーナ２箇所にネット取付け台４、１４をはさみ、卓球台５０に、固定ネジ６、１６、によって固定する、図４
【手続補正２】
【補正対象書類名】明細書
【補正対象項目名】全文
【補正方法】変更
【補正の内容】
【考案の詳細な説明】
【技術分野】
【０００１】本考案は、ネットサイド左２右３とセンタネット１と、ネット取付け台４にポール５ネットが、取付けられる、クリップ、フックなどに関するものである。
【背景技術】
【０００２】サービス、レシーブの打法の練習には、必ず球拾いが必要である、その時には魚を捕る網で拾っていた。【０００３】卓球マシンでは、サイド側のネット左２右３がないため左右に球が散乱していた、上記のようにして球を拾う。
【考案の開示】
考案が解決しようとする課題
【０００４】卓球練習で、サービス、玉出し、卓球マシン練習時には必ず１名が球を拾う必要があった。球の散乱で他のプレーヤに迷惑をかけていたが、ネット左２左３とセンタ１の改良によりこの欠点を解決しようとするものである。
【課題を解決するための手段】
【０００５】本考案はネットサイド左２右３とセンタネット１を高くして、球の逃を止める：サイドネット左２右３、センタ１のネットの球の落下部に傾斜をつけて、１箇所に集め、ホール３５から受箱に入れるように改良し、ネット取付け台は、卓球台５０にネジ６で固定することで脱着を簡単軽量で、場所をとらないことで問題解決している。
【考案の効果】
【０００６】上述の様に本考案のネット改良により、他の人をたよっていたが、その必要性がなく、自分だけで練習が出来、他人にも迷惑を、かけないで気楽に出来る。
考案の実施するための最良の形態
【０００７】ネットに関する付属品は下記によって構成されている。
サイドネット左２、クリップ２ａ、２Ｂ、２Ｃ、フック、２Ｅ、２Ｄ、２Ｆ、
〃    右３、クリップ３ａ、３Ｂ、３Ｃ、フック、３Ｅ、３Ｄ、３Ｆ、
センタネット  １  左側、クリップ１ａ、１Ｂ、１Ｃ、フック１Ｄ
〃          右側、クリップ１１ａ、１１Ｂ、１１Ｃ、フック１１Ｄ
【実施例】
【０００８】添付図面に従って実施例を説明する、最初は卓球台５０にネット取付け台４、１４とポール５、１５を組付ける、それからサイドネツ２、はネットサポート１７にフック２Ｅ、２Ｄ、６の固定ネジにフック２Ｆをかける、クリップは取付台のポール５に上から２ａ、２Ｂ、２Ｃとクリップする
サイドネット３の取付け要領は上記サイドネット２と同じである。【０００９】センタネット１の取付は左側のポール５にクリップ１ａ、１Ｂ、１Ｃ、と上から、ポール５にクリップする、フック１Ｄはネット取付け台のネジ６にかける、右側ネット取付けは、ポール１５にクリップ１１ａ１１Ｂ、１１Ｃ、を上からクリップする。フック１１Ｄ、はポール取付け台１６のねじにかける。最後にネット左２センタ１のネット角のネットの折合を、センタネット１０Ｂ、１０Ｃから行う。
【図面の簡単な説明】
【００１０】
【図１】側面
【図２】平面
【図３】側面  後
【図４】Ａ平面  Ｂ、Ｃ側面
【符号の説明】
【００１１】１、センタネット  ４、１４、ネット取付け台  ７、１７、ネットサポート、１Ｄ、ネットフック
２、左ネット      ５、１５、ポール          １ａ  ネットクリップ、    ２Ｅ、    〃
３  右ネット      ６、１６、卓球台固定ネジ  ２ａ        〃      、    ２Ｆ、    〃
【手続補正３】
【補正対象書類名】図面
【補正対象項目名】全図
【補正方法】変更
【補正の内容】
【図１】
0003122787.tif 000007
【図２】
0003122787.tif 000008
【図３】
0003122787.tif 000009
【図４】
0003122787.tif 000010
【手続補正書】
【提出日】平成17年12月5日(2005.12.5)
【手続補正１】
【補正対象書類名】実用新案登録請求の範囲
【補正対象項目名】全文
【補正方法】変更
【補正の内容】
【実用新案登録請求の範囲】
【請求項１】
卓球台５０の中央ネット１７から３枚のネットで、片側を囲み球が落下する、サイドネット左２、右３、センタネット１の中央ホール３５まで傾斜をつけて、球の流れをスムーズにして、ホール３５から受箱に球が落下する特徴のネットである。
【請求項２】
卓球台５０の中央ネット１７からとうざかって、サイドネット左２、右３をセンタネット１まで高くして、球の散乱を防止する請求項１に基ずく特徴の回収ネットである。
【請求項３】
球出しを行うための、サイドネット左２のクリップ２ａをボール５から外し、そのネットを下側にさげて相手に球を出して、その打球が請求項１に基ずく特徴の回収ネットである。
【請求項４】
サイドネット左２、右３、センタネット１、の３枚に分割されて、各ネットにクリップ、とフックが取付けている、これはネットの脱着を簡単軽量の特徴を備えたクリップ、フックである。
【手続補正書】
【提出日】平成18年3月30日(2006.3.30)
【手続補正１】
【補正対象書類名】実用新案登録請求の範囲
【補正対象項目名】全文
【補正方法】変更
【補正の内容】
【実用新案登録請求の範囲】
【請求項１】
卓球台５０の中央ネット１７から片側を３枚のネットで囲み（サイドネット左２右３、及び、センタネット１）、３枚のネットに落下する、中央ホール３５まで、傾斜をつけて、球の流れをスームズにしてホール３５から受箱に球が落下することを特徴とする回収ネット。
【請求項２】
卓球台５０の中央ネット１７からセンタネットに向かって、サイドネット左２、右３をセンタネット１まで、高くして、球の散乱を防止することを特徴とする請求項１に記載の回収ネット。
【請求項３】
サイドネット左２のクリップ２ａをポール５から外し、そのネットを下側にさげて、相手に球出しが出来ることを特徴とする請求項１に記載の回収ネット。
【請求項４】
サイドネット左２、右３、センタネット１の３枚に分割されて、各ネットにクリップとフックを取付けて、ネット脱着を簡単、軽量とすることを特徴とする請求項１に記載の回収ネット。